(57)【要約】【課題】  構成を複雑化することなく、ポリゴンミラーから発生する熱よる画質への影響を軽減させると共に、ポリゴンミラー周囲の局所的な温度上昇を防止する。【解決手段】  ポリゴンミラー２２と第１ｆθレンズ２４との間には、光ビームを通過させる通光口３４を有する防風部材３２を設ける。これにより、ポリゴンミラー２２から流れる熱風が、防風部材３２の板体３２Ｂに吹き付け、樹脂製の第１ｆθレンズ２４に直接吹き付けることがない。このため、第１ｆθレンズ２４の温度不均一が軽減され、光学面の歪みを抑制し、濃度ムラ、スジ等、画質への影響を軽減することができる。また、立壁としての板体３２Ｂには、通光口３４が形成されているため、ポリゴンミラー２２を閉空間内に隔絶させていないので、ポリゴンミラー２２周囲の温度を局所的上昇させることはなく、ポリゴンミラー２２の軸受けや駆動回路等の寿命が低下しない。【選択図】  図２
2007079515.tif 000002
【特許請求の範囲】
【請求項１】
光源から射出される光ビームを反射して偏向する光偏向手段と、
該光偏向手段が偏向した光ビームを感光体上に結像させると共に等速度で走査させる走査結像光学系と、を備える光走査装置において、
前記光偏向手段と前記走査結像光学系との間に、前記光ビームを通過させる通光口を有する立壁を設けたことを特徴とする光走査装置。
【請求項２】
前記光偏向手段、前記走査結像光学系及び前記立壁を収容する光学箱を備え、
前記光偏向手段を囲む前記光学箱の内側面と、前記立壁との間に隙間が形成されていることを特徴とする請求項1に記載の光走査装置。
【請求項３】
光源から射出される光ビームを前記光偏向手段の反射面上で副走査方向に結像させる結像光学系を備え、
前記通光口の副走査方向の大きさは、前記通光口を通過する部分における前記光ビームの副走査方向のビーム径より大きいことを特徴とする請求項１又は請求項２に記載の光走査装置。
【請求項４】
前記立壁は、走査開始側よりも走査終了側が、前記光偏向手段側から流れる風に対し、空気抵抗が大きい形状であることを特徴とする請求項１〜３のいずれか１項に記載の光走査装置。
【請求項５】
前記立壁は、二重であることを特徴とする請求項１〜４のいずれか１項に記載の光走査装置。
【請求項６】
前記光偏向手段側の立壁は、前記走査レンズ側の立壁に比べ、前記光偏向手段側から流れる風に対し、空気抵抗が少ない形状をしていることを特徴とする請求項５の光走査装置。
【請求項７】
前記光偏向手段、前記走査結像光学系及び前記立壁を収容し、一方が開放された光学箱と、
前記光学箱の開放部分を塞ぐ板金製のカバーと、を備え、
前記立壁は、前記カバーに密着して設けられたことを特徴とする請求項１に記載の光走査装置。
【請求項８】
光源から射出される光ビームを反射して偏向する光偏向手段と、
該光偏向手段が偏向した光ビームを感光体上に結像させると共に等速度で走査させる走査結像光学系と、を備える光走査装置において、
前記光偏向手段と前記走査結像光学系との間に設けられ、前記光ビームを通過させる隙間を形成する立壁を備えたことを特徴とする光走査装置。
【発明の詳細な説明】
【技術分野】
【０００１】
本発明は、電子写真方式の画像形成装置に用いられる光走査装置に関する。
【背景技術】
【０００２】
電子写真方式の画像形成装置に用いられる光走査装置としては、光源から射出される光ビームを光偏向手段により偏向させ、走査結像光学系により被走査面に向けて集光して被走査面上に光スポットを形成し、この光スポットで被走査面を光走査（主走査）するように構成されている光走査装置が周知である。
【０００３】
走査結像光学系としては、１枚以上のｆθレンズで構成される走査結像光学系が周知である。ｆθレンズは、走査特性の向上を目的として、非球面に代表される特殊なレンズ面の採用が一般化しており、このような特殊な面を容易に形成でき、なおかつ、コスト的にも安価な樹脂製のレンズが多用されている。特に、タンデム式の画像形成装置では、使用するレンズの数が多いことから、樹脂製のレンズの使用によるコスト低減の効果が大きい。
【０００４】
その反面、樹脂製のレンズは、ガラスレンズと比較して、温度が上昇すると、熱膨張しやすい。
【０００５】
光偏向手段としては、偏向反射面を揺動させるガルバノミラーや、偏向反射面を回転させる回転多面鏡等の光偏向手段が周知である。回転多面鏡等の偏向反射面を駆動させる際に、そのモータ等の駆動部分の発熱で昇温し、光走査が長時間連続して行われるときには、回転多面鏡等は、かなりの温度まで昇温する。
【０００６】
光走査装置を構成するｆθレンズや回転多面鏡等は、光学箱の内部に収納されており、回転多面鏡等が昇温すると、回転多面鏡等で発生した熱は光学箱内に対流を生じ、対流熱として光学箱内に伝わるほか、回転多面鏡が回転することで発生する高温の風が、ｆθレンズに部分的に吹き付ける場合がある。
【０００７】
これにより、ｆθレンズが、一部分で熱膨張を起こし、光学面に歪みが生じ、走査速度や結像特性が一定とならず、濃度ムラ、筋等、画像劣化が発生してしまう。
【０００８】
そこで、回転多面鏡から発生する熱の影響を軽減させる光走査装置が提案されている（例えば、特許文献１）。
【０００９】
特許文献１では、平行平板ガラスを含む遮蔽壁で、回転多面鏡とｆθレンズとを空間的に隔絶している。
【特許文献１】特開２００４−１５７４８０号公報
【発明の開示】
【発明が解決しようとする課題】
【００１０】
しかしながら、特許文献１の構成では、遮蔽壁で囲まれた閉空間内部が温度上昇することで回転多面鏡の周囲が局所的に温度上昇し、回転多面鏡の軸受けや駆動回路の寿命が短くなる可能性が有る。
【００１１】
本発明は、上記事実を考慮し、構成を複雑化することなく、光偏向手段から発生する熱による画質への影響を軽減させると共に、光偏向手段の周囲の温度上昇を防止できる光走査装置を提供することを目的とする。
【課題を解決するための手段】
【００１２】
本発明の請求項１に係る光走査装置は、光源から射出される光ビームを反射して偏向する光偏向手段と、該光偏向手段が偏向した光ビームを感光体上に結像させると共に等速度で走査させる走査結像光学系と、を備える光走査装置において、前記光偏向手段と前記走査結像光学系との間に、前記光ビームを通過させる通光口を有する立壁を設けたことを特徴とする。
【００１３】
この構成によれば、光偏向手段が光源から射出される光ビームを偏向する。光偏向手段が偏向した光ビームは、走査結像光学系によって、感光体上に結像させると共に等速度で走査される。
【００１４】
ここで、本発明の請求項１では、光偏向手段と走査結像光学系との間に、光ビームを通過させる通光口を有する立壁が設けられている。
【００１５】
このため、光偏向手段が駆動することにより、光偏向手段から発生する熱風が、立壁に吹き付け、樹脂製の走査レンズへ直接吹き付けることがない。このため、走査結像光学系の温度上昇が抑制され、走査結像光学系の温度分布の不均一も緩和される。これにより、光学面の歪みを抑制し、濃度ムラ、スジ等、画質への影響を軽減することができる。
【００１６】
また、立壁には、通光口が形成されており、光偏向手段を閉空間内に隔絶させていないので、光偏向手段周囲の温度が局所的上昇することがない。このため、光偏向手段の軸受けや駆動回路等の寿命が低下しない。
【００１７】
本発明の請求項２に係る光走査装置は、請求項１の構成において、前記光偏向手段、前記走査結像光学系及び前記立壁を収容する光学箱を備え、前記光偏向手段を囲む前記光学箱の内側面と、前記立壁との間に隙間が形成されていることを特徴とする。
【００１８】
この構成によれば、光偏向手段を囲む光学箱の内側面と立壁との間に、隙間が形成されており、光偏向手段を閉空間内に隔絶させていないので、光偏向手段周囲の温度を局所的上昇させることがない。
【００１９】
本発明の請求項３に係る光走査装置は、請求項１又は請求項２の構成において、光源から射出される光ビームを前記光偏向手段の反射面上で副走査方向に結像させる結像光学系を備え、前記通光口の副走査方向の大きさは、前記通光口を通過する部分における前記光ビームの副走査方向のビーム径より大きいことを特徴とする。
【００２０】
本発明の請求項４に係る光走査装置は、請求項１〜３のいずれか１項の構成において、前記立壁は、走査開始側よりも走査終了側が、前記光偏向手段側から流れる風に対し、空気抵抗が大きい形状であることを特徴とする。
【００２１】
光偏向手段が駆動すると、光偏向手段から発生する熱風は、走査開始側より走査終了側へ多く流れる可能性が高い。
【００２２】
これに対し、請求項４の構成では、立壁は、走査開始側よりも走査終了側が、光偏向手段側から流れる風に対し、空気抵抗が大きい形状とされているため、走査結像光学系の温度不均一が軽減される。
【００２３】
本発明の請求項５に係る光走査装置は、請求項１〜４のいずれか１項の構成において、前記立壁は、二重であることを特徴とする。
【００２４】
この構成によれば、立壁が、二重とされているため、光偏向手段から発生する熱風は、走査レンズに到達しにくく、また、光偏向手段側の立壁と走査レンズ側の立壁との間に滞留しやすくなる。このため、走査結像光学系の温度不均一が軽減されると共に、光偏向手段周囲の温度の上昇を抑制する。
【００２５】
本発明の請求項６に係る光走査装置は、請求項５の構成において、前記光偏向手段側の立壁は、前記走査レンズ側の立壁に比べ、前記光偏向手段側から流れる風に対し、空気抵抗が少ない形状をしていることを特徴とする。
【００２６】
この構成によれば、光偏向手段から発生する熱風は、より走査レンズに到達しにくく、光偏向手段側の立壁と走査レンズ側の立壁との間に、より滞留しやすくなる。このため、走査結像光学系の温度不均一がより軽減されると共に、光偏向手段周囲の温度の上昇をより抑制する。
【００２７】
本発明の請求項７に係る光走査装置は、請求項１の構成において、前記光偏向手段、前記走査結像光学系及び前記立壁を収容し、一方が開放された光学箱と、前記光学箱の開放部分を塞ぐ板金製のカバーと、を備え、前記立壁は、前記カバーに密着して設けられたことを特徴とする。
【００２８】
この構成によれば、立壁は、光学箱の開放部分を塞ぐ板金製のカバーに密着して設けられているため、光偏向手段から発生する熱風で暖められた立壁の放熱が、促進される。
【００２９】
本発明の請求項８に係る光走査装置は、光源から射出される光ビームを反射して偏向する光偏向手段と、該光偏向手段が偏向した光ビームを感光体上に結像させると共に等速度で走査させる走査結像光学系と、を備える光走査装置において、前記光偏向手段と前記走査結像光学系との間に設けられ、前記光ビームを通過させる隙間を形成する立壁を備えたことを特徴とする。
【００３０】
この構成によれば、光偏向手段が光源から射出される光ビームを偏向する。光偏向手段が偏向した光ビームは、走査結像光学系によって、感光体上に結像させると共に等速度で走査される。
【００３１】
ここで、本発明の請求項８では、光偏向手段と走査結像光学系との間に、前記光ビームを通過させる隙間を形成する立壁が設けられている。
【００３２】
このため、光偏向手段が駆動することにより、光偏向手段から発生する熱風が、立壁に吹き付け、樹脂製の走査レンズへ直接吹き付けることがない。このため、走査レンズの温度不均一が軽減され、光学面の歪みを抑制し、濃度ムラ、スジ等、画質への影響を軽減することができる。
【００３３】
また、立壁が、光ビームを通過させる隙間を形成し、光偏向手段を閉空間内に隔絶させていないので、光偏向手段周囲の温度が局所的上昇することがない。このため、光偏向手段の軸受けや駆動回路等の寿命が低下しない。
【発明の効果】
【００３４】
本発明は、上記構成としたので、構成を複雑化することなく、光偏向手段から発生する熱による画質への影響を軽減させると共に、光偏向手段の周囲の温度上昇を防止できる。
【発明を実施するための最良の形態】
【００３５】
以下に、本発明の光走査装置に係る実施形態の一例を図面に基づき説明する。
【００３６】
図１、２に示すように、光走査装置１０は、上方が開放されたプラスチック製の光学箱１２を備えている。光学箱１２の外側面には、光源としての半導体レーザユニット１４が取り付けられている。半導体レーザユニット１４は、光学箱１２の内部へ、開口を通じてレーザ光（光ビーム）を射出するように構成されている。
【００３７】
光学箱１２の内部には、レーザ光の射出方向に沿って、コリメータレンズ１８、スリット部材１９、シリンドリカルレンズ２０、軸受２３に回転可能に支持される回転するポリゴンミラー（回転多面鏡）２２が、順に配置されている。軸受２３には、駆動モータ（図示省略）、駆動回路（図示省略）が設けられ、この駆動モータ（図示省略）、駆動回路（図示省略）により、ポリゴンミラー２２が回転するように構成されている。また、光学箱１２の開放された上方部分は、カバー１５で塞がれ、このカバー１５及び光学箱１２によって、光走査装置１０の筐体が構成されている（図２参照）。
【００３８】
半導体レーザユニット１４から射出されたレーザ光は、コリメータレンズ１８で平行光に変換される。この平行光に変換されたレーザ光が、スリット部材１９のスリットを通過することで所定の断面形状に整形され、このレーザ光は、シリンドリカルレンズ２０により、ポリゴンミラー２２の反射面で副走査方向に結像される。シリンドリカルレンズ２０によって結像されたレーザ光は、ポリゴンミラー２２の反射面で反射して、感光体１６上に偏向走査される。
【００３９】
ポリゴンミラー２２と感光体１６との間には、樹脂製の第１ｆθレンズ２４、樹脂製の第２ｆθレンズ２６、ウィンドウガラス２８が配置されている。なお、第１ｆθレンズ２４、及び第２ｆθレンズ２６はガラス製であってもよい。
【００４０】
ポリゴンミラー２２で偏向されたレーザ光は、第１ｆθレンズ２４及び、第２ｆθレンズ２６を通過することにより、ウィンドウガラス２８を通って感光体１６上に結像させると共に等速度で走査される。
【００４１】
ここで、本発明の立壁を備える防風部材について説明する。
【００４２】
本実施形態に係る防風部材３２は、図２（Ｂ）に示すように、板部材を屈曲させたＬ字状に形成されている。板部材の一方の板体３２Ａには、ねじ止めするための孔３３が形成され、他方の板体３２Ｂは、本発明の立壁を構成し、レーザ光を通過させるための通光口３４が中央部に形成されている。
【００４３】
この防風部材３２は、ポリゴンミラー２２と第１ｆθレンズ２４との間に、板体３２Ａが光学箱１２にねじ止めされて固定されており、板体３２Ｂが、副走査方向へ延設されている。また、ポリゴンミラー２２で偏向されたレーザ光が通光口３４を通過する構成となっている。通光口３４の副走査方向（本実施形態において、上下方向）大きさは、通光口３４を通過する部分におけるレーザ光の副走査方向のビーム径より大きくなっている。
【００４４】
また、板体３２Ｂの長手方向両端部と、ポリゴンミラー２２を囲む光学箱１２の内側面１２Ａとの間には、隙間が形成されている（図１参照）。また、板体３２Ｂの上端部とカバー１５との間にも隙間が形成されている（図２（Ａ）参照）。
【００４５】
次に、上記実施形態についての作用を説明する。
【００４６】
レーザ光を感光体１６上に偏向走査させる際に、ポリゴンミラー２２を駆動させると、駆動モータ及び駆動回路から発熱する。ポリゴンミラー２２が回転することにより、風が起こり、その風が、駆動部２３で発生した熱によって暖められ、熱風となって、第１ｆθレンズ２４側へ流れる。
【００４７】
ここで、本実施形態では、ポリゴンミラー２２と第１ｆθレンズ２４との間には、光ビームを通過させる通光口３４を有する防風部材３２が設けられている。
【００４８】
このため、ポリゴンミラー２２から流れる熱風が、防風部材３２の板体３２Ｂに吹き付け、樹脂製の第１ｆθレンズ２４に直接吹き付けることがない。このため、第１ｆθレンズ２４の全体の温度上昇が抑制され、第１ｆθレンズ２４の長手方向における温度分布の不均一も緩和される。これにより、光学面の歪みを抑制し、濃度ムラ、スジ等、画質への影響を軽減することができる。
【００４９】
また、立壁としての板体３２Ｂには、通光口３４が形成されている。また、板体３２Ｂの長手方向両端部と、ポリゴンミラー２２を囲む光学箱１２の内側面１２Ａとの間には、隙間が形成されている。さらに、板体３２Ｂの上端部とカバー１５との間にも隙間が形成されている。
このため、ポリゴンミラー２２を閉空間内に隔絶させていないので、ポリゴンミラー２２周囲の温度を局所的上昇させることはなく、ポリゴンミラー２２の軸受２３や駆動回路等の寿命が低下しない。
【００５０】
また、本実施形態では、通光口３４が形成された防風部材３２を設けるだけなので、簡易な構成で、ポリゴンミラー２２から発生する熱による画質への影響を軽減させると共に、ポリゴンミラー２２周囲の局所的な温度上昇を防止できる。
【００５１】
なお、防風部材３２は、図３に示すように、立壁としての板体３２Ｂが、板体３２Ａよりも、ポリゴンミラー２２側に位置する向きに、設けてもよい。
【００５２】
このように、防風部材３２の向きを変えることで、ポリゴンミラー２２側の空間と、ｆθレンズ２４側の空間の大きさを任意に調整し、光学箱１２内の温度分布の調整が可能となる。
【００５３】
また、カバー１５を板金で形成すると共に、防風部材３２を、光学箱１２側ではなく、カバー１５側に密着させて、設けても良い（図８参照）。
これにより、ポリゴンミラー２２から発生する熱風で暖められた防風部材３２の放熱が、促進され、ｆθレンズ２４の温度不均一を解消する効果、ポリゴンミラー２２周囲の局所的な温度上昇を抑制する効果が上がる。
【００５４】
次に、防風部材３２の第１変形例を説明する。
【００５５】
第１変形例の防風部材４２では、図４（Ａ）、（Ｂ）に示すように、中央部に通光口４３が形成されると共に、立壁としての板体４２Ｂの走査開始側（図４（Ａ）において上方側）よりも走査終了側（図４（Ａ）において下方側）が、ポリゴンミラー２２側から流れる風に対し、空気抵抗が大きい形状とされている。
【００５６】
板体４２Ｂは、走査開始側の端部が、第１ｆθレンズ２４側に屈曲し、走査終了側の端部が、ポリゴンミラー２２側に屈曲している。
【００５７】
これにより、走査開始側に流れる風は、第１ｆθレンズ２４側に屈曲した端部に沿って、第１ｆθレンズ２４へ流れる。これに対して、走査終了側に流れる風は、ポリゴンミラー２２側に屈曲した端部に吹き付け、第１ｆθレンズ２４へ流れにくくなる。
【００５８】
ポリゴンミラー２２から発生する風は、ポリゴンミラー２２が回転することより、渦を巻いて、第１ｆθレンズ２４の走査開始側よりも走査終了側へ、より多く流れる。このため、第１ｆθレンズ２４の走査開始側よりも走査終了側が、温度上昇しやすい。
【００５９】
これに対し、第１変形例では、上記のように、立壁としての板体４２Ｂの走査終了側が、走査開始側よりも、ポリゴンミラー２２側から流れる風に対し、空気抵抗が大きい形状とされているため、第１ｆθレンズ２４の温度不均一が軽減される。このため、光学面の歪みを抑制し、濃度ムラ、スジ等、画質への影響を軽減することができる。
【００６０】
走査開始側よりも走査終了側が、ポリゴンミラー２２側から流れる風に対し、空気抵抗の大きい形状をした防風部材としては、図５（Ａ）に示すように、立壁としての板体４４Ｂが、走査開始側から走査終了側へ向けて徐々に、高さが高くなる形状をした防風部材４４であってもよい。また、図５（Ｂ）に示すように、階段状に、立壁としての板体４６Ｂが、走査終了側が走査開始側より高くなる形状をした防風部材４６であってもよい。
【００６１】
次に、防風部材３２の第２変形例を説明する。
【００６２】
第２変形例の防風部材５２では、図６（Ａ）、（Ｂ）に示すように、コの字状に形成され、立壁としての板体５２Ｂが二重とされている。なお、板体５２Ｂの中央部には、通光口５３が形成されている。
【００６３】
これにより、ポリゴンミラー２２から発生する熱風は、第１ｆθレンズ２４に到達しにくく、また、ポリゴンミラー２２側の板体５２Ｂと、第１ｆθレンズ２４側の板体５２Ｂとの間に滞留しやすくなる。このため、第１ｆθレンズ２４全体の温度上昇が抑制され、第１ｆθレンズ２４の長手方向における温度分布の不均一も緩和されると共に、ポリゴンミラー２２周囲の局所的な温度上昇を抑制する。
【００６４】
また、板体５２Ｂを二重に設けた場合は、図７（Ａ）、（Ｂ）に示すように、ポリゴンミラー２２側の板体を、第１ｆθレンズ２４側の板体に比べ、ポリゴンミラー２２側から流れる風に対し、空気抵抗が少ない形状としてもよい。
【００６５】
図７（Ａ）、（Ｂ）に示す防風部材５４では、ポリゴンミラー２２側の板体５４Ｂの高さを、第１ｆθレンズ２４側の板体５４Ｂよりも低くすると共に、先端部（上端部）が第１ｆθレンズ２４側に傾斜するように屈曲させている。これにより、ポリゴンミラー２２側の板体５４Ｂは、くの字状に形成され、通光口５５が形成された中央部（屈曲部分）が、ポリゴンミラー２２側に張り出している。
【００６６】
第１ｆθレンズ２４側の板体５４Ｂの先端部（上端部）がポリゴンミラー２２側に傾斜するように屈曲させている。これにより、ポリゴンミラー２２側の板体５４Ｂは、くの字状に形成され、通光口５５が形成された中央部（屈曲部分）が、第１ｆθレンズ２４側に張り出している。
【００６７】
これにより、図７に示す防風部材５４に比べて、ポリゴンミラー２２から発生する熱風は、第１ｆθレンズ２４により到達しにくく、また、ポリゴンミラー２２側の板体５４Ｂと、第１ｆθレンズ２４側の板体５４Ｂとの間により滞留しやすくなる。このため、第１ｆθレンズ２４の温度不均一が、さらに軽減されると共に、ポリゴンミラー２２周囲の局所的な温度上昇をさらに抑制する。
【００６８】
なお、図８に示すように、カバー１５を板金で形成すると共に、防風部材５２を、光学箱１２側ではなく、カバー１５側に密着させて、設けても良い。
これにより、ポリゴンミラー２２から発生する熱風で暖められた防風部材５２の放熱が、促進され、ｆθレンズ２４の温度不均一を解消する効果、ポリゴンミラー２２周囲の局所的な温度上昇を抑制する効果が上がる。
【００６９】
次に、防風部材３２の第３変形例を説明する。
【００７０】
第３変形例では、図９（Ａ）、（Ｂ）に示すように、二つの防風部材により、立壁を構成し、レーザ光を通過させる隙間が形成されるように、防風部材を配置している。
【００７１】
防風部材６２は、カバー１５側に取り付けられ、防風部材６３は光学箱１２側に取り付けられており、防風部材６２の板体６２Ｂの先端部と、防風部材６３の先端部との間に、レーザ光を通過させる隙間６５を形成している。
【００７２】
この構成により、ポリゴンミラー２２から流れる熱風が、防風部材６２の板体６２Ｂ及び防風部材６２の板体６２Ｂに吹き付け、樹脂製の第１ｆθレンズ２４に直接吹き付けることがない。このため、第１ｆθレンズ２４の温度上昇が抑制され、第１ｆθレンズ２４の長手方向における温度分布の不均一も緩和される。これにより、光学面の歪みを抑制し、濃度ムラ、スジ等、画質への影響を軽減することができる。
【００７３】
また、防風部材６２の板体６２Ｂの先端部と、防風部材６３の板体６３Ｂの先端部との間には隙間６５がされているので、ポリゴンミラー２２を閉空間内に隔絶させていないので、ポリゴンミラー２２周囲の温度を局所的に上昇させることはなく、ポリゴンミラー２２の軸受２３や駆動回路等の寿命が低下しない。
【００７４】
次に、上記の実施形態及び第１〜第２変形例の構成をとった場合の、第１ｆθレンズ２４の走査開始側から走査終了側にかけての長手方向の温度分布を図１０に示す。
【００７５】
図１０に示すように、図１、図２、図３に示す実施形態においては、従来に比べて、第１ｆθレンズ２４全体の温度上昇が抑制されるとともに、第１ｆθレンズ２４の走査開始側から走査終了側にかけての長手方向の温度分布が緩和される。
【００７６】
また、図４（Ａ）、（Ｂ）および図５（Ａ）、（Ｂ）に示す第１変形例、すなわち、走査開始側よりも走査終了側が、ポリゴンミラー２２側から流れる風に対し、空気抵抗が大きい形状に、立壁を形成した構成においては、前記実施形態よりも更に温度分布が均一化される。
【００７７】
また、図６（Ａ）、（Ｂ）および図７および図８に示す第２変形例、すなわち、立壁を二重にした構成においては、前記実施形態よりも第１ｆθレンズ２４側に流れる熱風が減少するため、第１ｆθレンズ２４全体の温度上昇が前記実施形態よりも更に抑制される。
【００７８】
なお、上記実施の形態では、立壁としての板体が一重又は、二重である場合の例について説明したが、本発明の立壁としては、三重以上で構成されていてもよい。
【００７９】
また、第２変形例では、単一の防風部材に、立壁としての板体が二重に設けられていたが、本発明の立壁を複数設ける構成としては、別部材でそれぞれ構成された立壁を、複数設ける構成であってもよい。
【００８０】
また、上記実施の形態では、走査結像光学系を構成する走査レンズとしてのｆθレンズは、複数設けられていたが、本発明の走査結像光学系としては、単一のｆθレンズで構成されていてもよい。
【００８１】
また、上記実施の形態では、光偏向手段として、ポリゴンミラーを用いたが、これ限られず、本発明の光偏向手段としては、偏向反射面を揺動させるガルバノミラー等であってもよく、光源から射出される光ビームを反射して偏向する部材であれば構わない。本発明は、上記の実施の形態に限るものではなく、種々の形態が可能である。
【図面の簡単な説明】
【００８２】
【図１】図１は、本発明の実施形態に係る光走査装置の全体構成を示す図である。
【図２】図２（Ａ）は、本実施形態に係る光走査装置の断面図である。図２（Ｂ）は、本実施形態に係る防風部材を示す図である。
【図３】図３（Ａ）は、図２（Ｂ）に係る防風部材の向きを替えて配置した場合の光走査装置の断面図である。図３（Ｂ）は、本実施形態に係る防風部材を示す図である。
【図４】図４（Ａ）は、第１変形例に係る防風部材を搭載した光走査装置を示す図である。図４（Ｂ）は、本実施形態に係る防風部材の第１変形例を示す図である。
【図５】図２（Ａ）、（Ｂ）は、第１変形例に係る防風部材において、走査開始側よりも走査終了側が、光偏向手段側から流れる風に対し、空気抵抗が大きい形状の他の例を示す図である。
【図６】図６（Ａ）は、第２変形例に係る防風部材を搭載した光走査装置の断面図である。図６（Ｂ）は、本実施形態に係る防風部材の第２変形例を示す図である。
【図７】図７（Ａ）、（Ｂ）は、第２変形例に係る防風部材において、ポリゴンミラー側の立壁が、ｆθレンズ側の立壁に比べ、ポリゴンミラー側から流れる風に対し、空気抵抗が少ない形状の一例を示す図である。
【図８】図８は、第２変形例に係る防風部材をカバー側に設けた光走査装置を示す断面図である。
【図９】図９（Ａ）は、第３変形例に係る防風部材を搭載した光走査装置の断面図である。図９（Ｂ）は、本実施形態に係る防風部材の第３変形例を示す図である。
【図１０】図１０は、本実施形態及び第１、第２変形例の構成をとった場合の、第１ｆθレンズの温度分布を示すグラフである。
【符号の説明】
【００８３】
１０   光走査装置
１２   光学箱
１２Ａ 内側面
１４   半導体レーザユニット（光源）
１５   カバー
１６   感光体
２２   ポリゴンミラー（光偏向手段）
２４   第１ｆθレンズ（走査結像光学系）
２６   第２ｆθレンズ（走査結像光学系）
３２Ｂ 板体（立壁）
３４   通光口
４２Ｂ 板体（立壁）
４３   通光口
４４Ｂ 板体（立壁）
４６Ｂ 板体（立壁）
５２Ｂ 板体（立壁）
５３   通光口
５４Ｂ 板体（立壁）
５５   通光口
６２Ｂ 板体（立壁）
６５   隙間
【図１】
2007079515.tif 000003
【図２】
2007079515.tif 000004
【図３】
2007079515.tif 000005
【図４】
2007079515.tif 000006
【図５】
2007079515.tif 000007
【図６】
2007079515.tif 000008
【図７】
2007079515.tif 000009
【図８】
2007079515.tif 000010
【図９】
2007079515.tif 000011
【図１０】
2007079515.tif 000012